(57)【特許請求の範囲】
【請求項１】
医療機器に対する電子線照射による滅菌方法において、密度と厚みの積が３．６（ｇ／ｃｍ２ ）以上７．２（ｇ／ｃｍ２ ）以下である円筒形の医療機器に対して、３方向以上の方向から前記医療機器の側面に向けてエネルギーが５〜１０ＭｅＶの電子線を照射することを特徴とする医療機器の滅菌方法。
【請求項２】
前記円筒形の医療機器を回転を刻みながら回転し、回転を停止した状態で前記電子線を照射することを特徴とする請求項１記載の医療機器の滅菌方法。
【請求項３】
前記円筒形の医療機器の周囲１周を越えて前記電子線を照射することを特徴とする請求項２記載の医療機器の滅菌方法。
【請求項４】
前記円筒形の医療機器を筒体に収容し、前記筒体の外部から前記電子線を照射することを特徴とする請求項１〜３のいずれかに記載の医療機器の滅菌方法。
【請求項５】
前記筒体は、軸に垂直な断面が偏平曲面形状をしていることを特徴とする請求項４記載の医療機器の滅菌方法。
【請求項６】
医療機器に対する電子線照射による滅菌方法において、密度と厚みの積が３．６（ｇ／ｃｍ２ ）以上７．２（ｇ／ｃｍ２ ）以下である円筒形の医療機器を電子線照射装置の有効電子線照射領域内で連続回転しながら、前記医療機器の側面に向けてエネルギーが５〜１０ＭｅＶの電子線を照射することを特徴とする医療機器の滅菌方法。
【請求項７】
前記円筒形の医療機器の周囲１周を越えて前記電子線照射をすることを特徴とする請求項６記載の医療機器の滅菌方法。
【請求項８】
前記円筒形の医療機器を筒体に収容し、前記筒体の外部から前記電子線を照射することを特徴とする請求項６又は７記載の医療機器の滅菌方法。
【請求項９】
前記筒体は、軸に垂直な断面が偏平曲面形状をしていることを特徴とする請求項８記載の医療機器の滅菌方法。
【請求項１０】
医療機器に対する電子線照射による滅菌装置において、密度と厚みの積が３．６（ｇ／ｃｍ２ ）以上７．２（ｇ／ｃｍ２ ）以下である円筒形の医療機器を収容する筒体と、前記筒体を回転可能に保持する回転装置と、前記回転装置を載置するコンベアと、前記筒体の被照射面を間欠的又は連続的に変更しながら、前記回転装置に保持された前記筒体内の前記医療機器の側面に対して、照射エネルギーが５〜１０ＭｅＶの電子線を照射する電子線照射装置とを有することを特徴とする医療機器の滅菌装置。
【発明の詳細な説明】
【０００１】
【発明の属する技術分野】
本発明は、高密度で円筒形の組み合わせからなるような複雑な形状をした医療用具等の医療機器である被照射物に対して、電子線を照射して滅菌処理する医療機器の滅菌方法およびその装置に関するものである。
【０００２】
【従来の技術】
従来の医療機器の滅菌方法としては、高圧蒸気滅菌法、エチレンオキシドガス滅菌法、γ線滅菌法などが用いられてきている。
【０００３】
この高圧蒸気滅菌法では、被照射物の湿潤状態における耐熱性が問題になり、被照射物の材質によっては、その性能を著しく低下させてしまうので、適用できない場合がある。特に、ケース素材などの汎用ポリマーには、耐熱性の高いものは少なく、この滅菌法の使用に際しては、高価格のエンジニアリングプラスチックを材料として使用することが必須条件になる場合が多いという問題がある。
【０００４】
また、エチレンオキシドガス滅菌法に関しては、エチレンオキシドガスの残留が問題になる。このガスを十分に除去するために処理時間が長くかかり、生産性が極めて悪くなるという問題がある。また、被照射物の材質によっては性能に変化を生じることがあるという問題がある。
【０００５】
そして、γ線滅菌法は、滅菌効果に優れている上に、エチレンオキシドガス滅菌法のように残留ガスの影響もない優れた方法であるが、γ線線源等の放射性物質の管理を慎重に行なう必要がある上に、γ線線源の寿命が来た際にその処理に莫大な経費がかかるという問題がある。
【０００６】
また、例え、外部施設に委託して滅菌処理する場合でも、γ線の線量密度はそれほど高くないので、通常の吸収線量２５(KGy) で滅菌する際でも数時間を要する上に、ポリマーの酸化等による無視できない劣化を生じる場合が多く、被照射物の性能や強度などを維持するのが難しいという問題があり、このための特別な研究が必要とされている。
【０００７】
これに対し、電子線照射装置を使用した滅菌法は、万一、災害が生じた時等でも、送電を停止しさえすれば自動的に電子線は止まるので、安全性に優れているという長所を有している。
【０００８】
【発明が解決しようとする問題】
しかしながら、高密度で複雑な形状を有する比較的大きな被照射物に対して電子線を照射する場合に、被照射物内の線量分布が著しく不均等になり、最大線量と最小線量との比が非常に大きくなるという問題が生じる。
【０００９】
つまり、電子線の透過力が電子線のエネルギーに概ね比例し、かつ、被照射物の密度に反比例するので、高密度で比較的大きな被照射物に対して、図１１に示すように、片面照射方式を実施して片側からのみ電子線Ｅを照射するすると、被照射物３内において、電子線照射窓２ａから遠い部位３ｃには電子線Ｅが到達できなくなるのである。
【００１０】
図１２は、一般的に産業用で利用されている電子線照射の最大エネルギーである１０(MeV) の電子線の透過力を示した図である。横軸は、被照射物の深さ方向を示し、縦軸は、被照射物に照射される表面線量に対する被照射物内部まで到達する線量の比を示している。この図から、最大エネルギーである１０(MeV) の電子線Ｅを照射した場合でも、密度１(g/cm3) の被照射物３では、深さ５(cm)厚さまで、密度が０．２(g/cm3) の被照射物３に対しては、最大で約２５(cm)の厚さまでしか透過しないことがわかる。
【００１１】
この電子線の透過力の弱さを補うために、従来技術においては、両面照射方式を一般的に採用して、被照射物に対して表裏の両面から電子線を照射している。しかし、この両面照射方式の採用は、カートン・ケースを代表とするような、直方体の単純な形状をした被照射物への適用が主であり、形状が複雑なものに対しては使用されていない。
【００１２】
この両面照射方式を適用して、図１３に示すように、高密度で円筒形の組合わせからなるような複雑な形状をした被照射物３に対して、電子線Ｅを照射をする場合においては、そのまま実施すると、最大線量と最小線量との比が大きくなりやすく、例えば、図１３に示す被照射物３の表面の両側のＰ１とＰ３における線量は、表面の上下位置、即ち照射方向と対面するＰ２とＰ４における線量の２倍から３倍になる。そして、この線量分布は、γ線照射の場合に比べて、更に２倍程度のバラツキを生じてしまう。
【００１３】
この線量分布の不均等性に対する対策としては、特開平８−２７５９９１号公報に提案されている、高い線量が照射される部位に電子線を吸収するための部材を用いる方法や、特開平８−１６９４４２号公報に提案されている、被照射物がプラスチック容器のように低密度の対称形を有したものに低エネルギー電子線を照射し滅菌する方法があるに過ぎなかった。
【００１４】
以上の理由により、電子線を利用した滅菌法を使用することは、従来技術においては、比較的低密度で単純な形状の被照射物に限定されている。
つまり、図１４（ｂ）に例示するように、高密度で円筒形の組合わせからなるような複雑な形状の被照射物３に対して、従来技術の両面照射方式を採用して、両面の照射方向Ｄ１、Ｄ２から電子線Ｅを照射した場合には、図１４（ａ）に示すように、照射方向に対面する表面位置０（＝２）や１の部分が小さく、側面部分となる表面位置０．５や１．５の部分が非常に大きくなり、電子線の表面線量の分布が不均一になってしまう。
このため、従来技術の両面照射方式は、高密度で円筒形の組合わせからなるような複雑な形状の被照射物に対しては、実用性を欠いており採用できなかった。
【００１５】
本発明は、上記問題点を解決するためになされたものであり、本発明の目的は、高密度で円筒形の組合わせからなるような複雑な形状をした被照射物である医療機器に対して、片面照射では電子線が透過できない部位に対しても、十分な滅菌線量を照射でき、かつ線量分布の不均等性が少なく概ね均一に電子線を照射することができる医療機器の滅菌方法およびその装置を提供することにある。
【００１６】
【問題を解決するための手段】
本発明に係る医療機器の滅菌方法は、医療機器に対する電子線照射による滅菌方法において、密度と厚みの積が３．６（ｇ／ｃｍ２ ）以上７．２（ｇ／ｃｍ２ ）以下である円筒形の医療機器に対して、３方向以上の方向から前記医療機器の側面に向けてエネルギーが５〜１０ＭｅＶの電子線を照射することを特徴とする。
【００１７】
つまり、被照射物たる円筒形の医療機器（以下、本発明の説明においてこの「被照射物たる円筒形の医療機器」を単に「被照射物」と呼ぶ）に対し、３方向以上の方向から前記医療機器の側面に向けて電子線を照射する。この場合、被照射物を回転するか、又は、電子線照射窓を移動することにより、３方向以上の方向から前記医療機器の側面に向けて電子線を照射することができる。
【００１８】
好ましい態様を図１に示すが、前記照射物を回転を刻みながら回転し、回転を停止した状態で電子線を照射する。つまり、予め決めた刻み角度α毎に、回転を刻みながら被照射物３を回転してはその状態で保持し、図示しないコンベア等でこの被照射物３を移動しながら電子線Ｅを照射し、また、所定の角度αだけ被照射物３を回転し、被照射面を変更した状態で電子線Ｅを照射することを繰り返して、被照射物３に対して３方向以上の方向から前記医療機器の側面に向けて電子線Ｅを照射する。この場合、被照射物の大きさにより、電子線Ｅを照射するに際し、被照射物をコンベア等で移動することが好ましい。
【００１９】
なお、図１では刻み角度αを４５度とし、一定にしているが、必ずしも一定にする必要はなく、前の回転と次の回転とで異なった角度であってもよい。または、医療機器に対する電子線照射による滅菌方法において、密度と厚みの積が３．６（ｇ／ｃｍ２ ）以上７．２（ｇ／ｃｍ２ ）以下である円筒形の医療機器を電子線照射装置の有効電子線照射領域内で連続回転しながら、エネルギーが５〜１０ＭｅＶの電子線を前記医療機器の側面に向けて照射することを特徴とする。
【００２０】
好ましい一態様を、図２に示す。回転方向Ｒに連続して被照射物３たる円筒形の医療機器を回転させながら、前記医療機器の側面に向けて電子線を照射する滅菌方法である。この場合、被照射物３の大きさによって、被照射物３を搬送方向Ｄに搬送しながら照射することが好ましい。
【００２１】
これらの上記２種類の医療機器の滅菌方法によれば、医療機器の滅菌において、高密度で大きさの異なる円筒形の組合わせからなるような複雑な形状をした被照射物に対しても、この被照射物全体にわたって十分な滅菌線量が照射され、しかも、この照射された線量はバラツキが小さく概ね均一となる。
【００２２】
更に、刻み回転又は連続回転等における電子線照射において、被照射物の周囲１周を越えて電子照射することにより、より均等に電子線が被照射物に照射される。
あるいは、上記の医療機器の滅菌方法において、被照射物を筒体に収容し、該筒体の外部から電子線を照射する。
【００２３】
この筒体は、円形や多角形などの種々の形状の筒体を使用することができるが、被照射物の形状や、回転の刻み角度での保持性や連続回転の容易性、および、電子線の反射・吸収の度合い等を考慮して採用する。
【００２４】
そして、この筒体の軸に垂直な断面を「偏平曲面形状」となるように形成すると、被照射物の収容や回転時の一時的姿勢保持や連続回転等の取り扱いがより便利となる。
【００２５】
この「偏平曲面形状」とは、楕円形を始め、西洋梨様形状、卵様形状、陸上競技のトラック形状、蚕のまゆ玉形状等を含む概ね楕円形となるように、つまり、曲線部を含む細長い形状を意味している。
【００２６】
この筒体に被照射物を入れた医療機器の滅菌方法によれば、被照射物が、複数種類ある場合においても、これら複数種類の被照射物を、この筒体に挿入して電子線を照射することにより、回転照射装置の形態変更を伴うことなく、被照射物全体にわたって十分な滅菌線量を照射することができ、かつ、線量分布のバラツキが小さく概ね均一な線量で電子線を照射することができる。
【００２７】
つまり、被照射物の形状が複雑で、回転しにくい場合でも、この筒体に入れることにより、所定の刻み角度の回転角度でセットでき、また、連続回転も容易となり、しかも、複数の被照射物を同時に処理することができる。
【００２８】
また、上記の医療機器の滅菌方法を実現する血液処理モジュールを代表とする医療機器に対する電子線照射による滅菌装置は、被照射物を収容する筒体と、該筒体を回転可能に保持する回転装置と、該回転装置を載置するコンベアと、前記筒体の被照射面を間欠的又は連続的に変更しながら、前記回転装置に保持された前記筒体に対して、電子線を照射する電子線照射装置とを有して構成される。
【００２９】
【発明の実施の形態】
図面を参照しながら、本発明の医療機器の滅菌方法およびその装置の実施の形態について説明する。
【００３０】
本発明が最も有効に活用できる医療機器として、血漿交換治療や人工透析治療、人工肝臓、エンドトキシンフィルタ、バイオリアクター等である血液処理モジュールを主なものとして上げることができる。この人工透析治療には、血液透析（ＨＤ：Hemo Dialysis ）、血液濾過透析（ＨＤＦ：Hemo DiaFiltration）、血液濾過（ＨＦ：Hemo Filtration ）等が含まれる。
【００３１】
また、この血液処理モジュールの医療機器以外にも、本発明の医療機器の滅菌方法およびその装置は、その他の医療用途および産業用途等の各種用途に用いることができる。
【００３２】
このメディカル用の血液処理モジュールにおいては、照射滅菌線量としては、水浸漬状態で１５〜３５(KGy) 程度が好ましく、この値の照射滅菌線量が用いられている。
【００３３】
一方、電子線の透過能力は、被照射物の密度に反比例するため、電子線の透過方向の厚みが大きい被照射物の場合には、その密度が小さい方が望ましいことになる。なお、ここで用いている「密度」は、被照射物の重量を全容量で除して求めた平均値を意味している。
【００３４】
そして、本発明は、密度と厚みの積が３．６（ｇ／ｃｍ２ ）以上７．２（ｇ／ｃｍ２ ）以下のもの、つまり電子線が全体に透過しにくく、かつ全体的な形状は円筒形の医療機器を被照射の対象としている。
【００３５】
また、電子線照射エネルギーに関しては、エネルギーの大きい電子線を用いれば大型の被照射物まで滅菌が可能であるが、産業応用として許される電子線エネルギーの最大値は１０（ＭｅＶ）となっており、本発明では、５〜１０（ＭｅＶ）の電子線照射装置が市販されており該市販の装置を利用して行うことができる。
【００３６】
本発明の１つの実施の形態である医療機器の滅菌方法は、被照射物を３方向以上から回転を刻みながら複数回（パス）累積照射する滅菌方法である。つまり、図１に示すように、被照射物３を刻み角度α毎に回転を刻みながら回転し、各回転した状態で電子線Ｅを複数回繰り返し照射することにより、被照射物３に対して３方向以上の方向から電子線Ｅを照射する滅菌方法である。
【００３７】
この滅菌方法では、図４に示すように、一時的に固定した被照射物３をベルトコンベア４等で、移動させながら、電子線Ｅを照射した後、被照射物３を回転方向Ｒに予め決められた角度α（図１では、４５度）だけ回転させ、再び被照射物３を一時的に固定して、ベルトコンベア４等で移動しながら電子線Ｅを照射する。
【００３８】
この被照射物３の所定の角度αの回転と一時固定と移動しながらの電子照射とを繰り返し実施することにより、概ね均一な線量を被照射物の側面に照射することができ、線量分布のバラツキを抑えることができる。また、本発明の好ましい実施の形態の１つである医療機器の滅菌方法は、被照射物を有効電子線照射領域内で連続回転させながら電子線を照射する方法である。
【００３９】
この滅菌方法では、図２に示すように、被照射物３を連続的に回転方向Ｒに回転させながら、かつ、被照射物３をベルトコンベア４等で搬送方向Ｃに移動させながら被照射物の側面に向けて電子線を照射する。この被照射物３を移動させながら回転照射する場合に、図２（ｂ）に示すように、有効電子線照射領域内における電子線の線量分布が中心部で高く、周辺部で低くなるため、本領域内でちょうど１回転だけ回転させた場合には、線量のバラツキが生じることになるので、線量をバラツキが少なく概ね均一に照射するためには、有効電子線照射領域内で被照射物を１回転以上回転させることが必要になる。
【００４０】
また、生産性を上げるためには、電子線を常時照射することが好ましく、また、被照射物を並べる際に、被照射物の間隔を回転に支障が出ない程度に出来る限り近づけて、被照射物の間を詰めることが効率アップにつながる。
【００４１】
また、本発明の一実施形態である医療機器の滅菌方法は、図３に示すように、被照射物３を筒体６に入れ電子線Ｅを照射する滅菌方法である。この筒体６は、円形や多角形などの種々の形状の筒体６を使用することができるが、被照射物３の形状や、回転の刻み角度αや連続回転のし易さ、および、電子線Ｅの吸収の度合い等を考慮して採用する。
【００４２】
図３に、この筒体６に入れた被照射物３を示す。図３の（ａ）は、電子線照射装置２との関係や回転方向Ｒ、搬送方向Ｃとの関係を示し、（ｂ）は、大型の血液処理モジュールの挿入状態を示し、（ｃ）は、小型の血液処理モジュールの挿入状態を示す。
【００４３】
そして、この筒体６の軸に垂直な断面を「偏平曲面形状」となるように形成すると、被照射物３の固定や照射時の回転や取り扱いにより便利である。この「偏平曲面形状」とは、楕円形を始め、西洋梨様形状、卵様形状、陸上競技のトラック形状、蚕のまゆ玉形状等を含む概ね楕円形となるように、つまり、曲線部を含む細長い形状を意味している。
【００４４】
また、この筒体６の材料は密度が小さく、また電子線による劣化が小さい材料で作られるのが好ましい。例えば、ＳＵＳは、密度が高い欠点はあるが、電子線照射による材質劣化が少なく、また、大気中に電子線を照射することによって発生するオゾンによる錆も生じにくい。その上、薄く加工できる等の利点があるため、このＳＵＳを筒体６に効果的に利用することができる。
この他にも、ポリスルホン、ポリカーボネート、ポリスチレンに代表される有機物やセラミック等も筒体６に使用することができる。
【００４５】
そして、以上の医療機器の滅菌方法によれば、片面照射では電子線が届きにくい部位にも十分かつ概ね均等な線量で電子線を照射でき、各部の電子線滅菌を行なうことができる。
【００４６】
また、上記の医療機器の滅菌方法を実現する血液処理モジュールを代表とする医療機器に対する電子線照射による滅菌装置１は、被照射物３を挿入固定する筒体６を備え、この筒体６を回転可能に保持する回転装置５をコンベア４に載置して形成する。実際に被照射物を回転させるのは照射ホーン下の領域を含めばよい。
【００４７】
そして、電子線Ｅを照射する電子線照射装置（照射ホーン）２を筒体６に対向する位置に設けて、この筒体６を、刻み角度α毎に間欠的に変更しては、コンベア４を稼働させて電子線Ｅを照射するか、回転方向Ｒに連続的回転し、かつコンベア進行方向Ｃに移動させて、電子線Ｅを照射できるように構成する。
つまり、筒体６の被照射面を間欠的又は連続的に変更しながら、回転装置５に保持された筒体６に対して、電子線Ｅを照射する電子線照射装置２を設ける。
【００４８】
【実施例】
以下に、より具体的な本発明のシミュレーション例と実施例について説明する。なお、以下の実施例における線量は、全てＣＴＡフィルム線量計で計測した線量である。
１）シミュレーション例
このシミュレーション例は、図４に示す滅菌方法及びその装置に対するものであり、被照射物３を搬送方向であるコンベア進行方向Ｃに移動するコンベア４に搭載した回転装置５の上に載置し、この被照射物３を回転移動しながら電子線照射装置（照射ホーン）２の下を通過させる。この電子線照射装置２では、電子線Ｅをコンベア４の幅方向に直線状になるように照射する。
【００４９】
このシミュレーション例は、φ８０(mm)、密度１(g/cm3) の円筒形の被照射物３を４５度刻みの１／８回転ずつ回転させながら、エネルギー１０(MeV) の電子線を８回（パス）累積照射した場合の、図５に示す位置における線量分布をシミュレーション計算した結果を図６に示す。
【００５０】
この図６においては、図５に示すｘ＝−４、ｙ＝０の点における線量（基準線量）を基準値（１．００）にとり、ｙ＝０の断面Ｇ１やｙ＝２の断面Ｇ２やｙ＝４の点の線量を、この基準線量で割算してノーマライズしたｘ軸方向の線量分布を表したものである。図６の白丸はｙ＝０の断面Ｇ１の値を、黒三角はｙ＝２の断面Ｇ２の値を、さらに白菱形はｙ＝４の点の値を示す。
２）実施例１〜５
被照射物であるポリスルホン系の中空糸膜を充填したモジュールに、γ線滅菌の指標菌であるBacillus pumilusを６．５×１０7 (cell/ml) 充填し、さらに線量計をモジュール内部の中央部に埋め込み、４５度刻みに１／８回転ずつ回転させながらエネルギー１０(MeV) の電子線を８回（パス）累積照射した。
【００５１】
この実施例１〜５では、表１に示すように、外径とその密度の積が、７．２、６．６、５．３、４．０、３．６(g/cm2) のモジュールをそれぞれで使用している。
これらのモジュールに累積照射後の表面線量が３０(KGy) となるように電子線を照射した後、モジュール内部から採取した充填液を培養して生菌数を調べたところ、表１に示すように、すべてのモジュール内部の充填液中において、生存した上記指標菌Bacillus pumilusを検出できなかった。
【００５２】
また、モジュール内部に埋め込んだ線量計により、モジュールの中心部における線量を測定したところ、３８．５、３５．２、４０．１、３５．５、３５．２(KGy) の値が得られ、モジュールの中心部まで電子線が透過したことが判った。
【００５３】
【表１】
0004489857.tif 000002
【００５４】
３）実施例６
次に、被照射物としての、ポリスルホン系の中空糸膜が充填された最大外径とその密度の積が７．２（ｇ／ｃｍ２）のモジュールに、図７に示した位置に線量計を取付け、４５度刻みに１／８回転ずつ回転させながら、エネルギー１０（ＭｅＶ）の電子線を８回（パス）累積照射し、表面線量が４０（ＫＧｙ）となるように照射した。この結果を表２に示すが、この表２から、バラツキはあるものの、全ての測定点において表面線量４０（ＫＧｙ）以上の線量照射ができたことが判った。
【００５５】
【表２】
0004489857.tif 000003
【００５６】
４）実施例７
次に、被照射物としての、ポリスルホン系の中空糸膜が充填された最大外径とその密度との積が７．２(g/cm2) のモジュールに、図８に示す位置に線量計を取付け、概ね楕円形の断面を持つ厚さ１．５(mm)のポリスチレンの筒体（モジュールケース）に入れて、図９に示すように、４３rpm で回転させながら、電子線のエネルギー１０(MeV) 、コンベア速度１．０(m/min) の条件下で、電子線を筒体表面における線量が３２(KGy) となるように照射した。
【００５７】
この結果を表３に示す。この結果によれば、すべての部分で表面線量３２(KGy）以上の線量が照射されていることが確認できた。また、最大線量と最小線量との比についても約１．５とγ線滅菌の場合と比べてわずかに大きい程度であった。そして、このモジュールから中空糸膜を取出し、機械的強度の測定を行ったところ、従来のγ線照射でγ線を同じ線量吸収したものに比べ、約７(%) 伸度が大きく、破断強度も約５(%) 大きい結果を得た。
【００５８】
【表３】
0004489857.tif 000004
【００５９】
５）実施例８
次に、照射された線量によって色が変わる色素であるインジコカルミン１６(ppm) 、ナフトールイエローＳ１６(ppm) 、テトラゾリウムレッド４７(ppm) をアガロース１．５(%) 水溶液に加熱溶解したものを用意した。
【００６０】
これを直径約３(cm ) のシャーレに深さ約５(mm)で充填し、この充填した６個のシャーレに、それぞれ、１．０、１．５、２．０、２．５、３．０、３．５(KGy) の電子線を一方向から照射し、色素の色変化を目視で確認した。
【００６１】
一方、実施例７で用いたモジュールケース（筒体）に、上記シャーレと同じものを充填し、実施例７と同様の条件で２．０(KGy) の照射を行った。そして、照射後に、モジュールケースを切断し、上記シャーレの色変化を基準にして、充填ゲルの色変化を観察したところ、中心部分では約０．５(KGy) 程過照射となったが、同心円上に対しては概ね均一に照射されていることが確認できた。
６）実施例９
更に、実施例１〜８で用いたポリスルホン系の中空糸膜が充填されたモジュール、もしくは、照射された線量によって色が変わる色素をアガロース水溶液で加熱溶解した後にこれを充填したモジュールケースに対して、図４と図９に示す回転方向（正転方向）に対して逆方向に回転させて、実施例１〜８と同様の試験をした結果、実施例１〜８と同等の結果が得られた。
７）実施例１０
また、図１０に示すように、モジュール円筒体６の中心軸６ｃとコンベア進行方向Ｄとのなす傾斜角度βを変化させて、実施例１〜８と同様な計測を行なった。
【００６２】
その結果、図４および図９のようにモジュール円筒体６の中心軸６ｃが、コンベアに対してほぼ水平に設置され、かつモジュール円筒体６が、図２（ｂ）に示すように有効電子線照射領域内を通過する場合は、モジュール円筒体６の中心軸６ｃがコンベア進行方向Ｄと任意の角度を持っていても、実施例１〜８と同様の結果を得ることができることも確認できた。
【００６３】
【発明の効果】
上記した本発明の医療機器の滅菌方法によれば、医療機器の滅菌において、高密度で円筒形の組合わせからなるような複雑な形状をした被照射物に対しても、この被照射物全体にわたって十分な滅菌線量を照射でき、しかも、電子線を線量分布のバラツキが小さく概ね均一な線量となるように照射することができる。
【００６４】
更に、連続回転における電子線照射において、被照射物を電子線照射窓に対して１回転を越えて回転させることにより、より均等に電子線を被照射物に照射することができる。
【００６５】
また、被照射物を筒体に入れて電子線を照射する医療機器の滅菌方法によれば、被照射物が、被照射物の形状が複雑で、回転しにくい場合でも、この筒体に入れることにより、所定の刻み角度の回転角度でセットでき、また、連続回転も容易とすることができる。
また、被照射物が複数種類ある場合においても、これら複数種類の被照射物に対して回転照射装置の形態変更を伴うことなく、しかも、複数の被照射物を同時に処理することができる。
【００６６】
従って、本発明に示した滅菌方法および滅菌装置の適用により、被照射物全体にわたって十分な滅菌線量を照射することができ、かつ、バラツキが小さく概ね均一な線量分布で電子線を照射することができる。
そのため、線量分布の不均一性などの理由から電子線滅菌の利用は、困難または不可能と考えられていた物品を電子線により滅菌することが可能となる。
特に、従来のコバルト60から発生するγ線に頼らざるをえなかった物品の滅菌を電子線による滅菌へ転換する際に有効な方法を提供できる。
【図面の簡単な説明】
【図１】本発明に係る第１の実施の形態の医療機器の滅菌方法における電子線の照射方向と被照射物との位置関係を示す図であり、（ａ）〜（ｈ）は、各照射回数に対応した位置関係を示す。
【図２】本発明に係る第２の実施の形態の医療機器の滅菌方法に関する図であり、（ａ）は被照射物の回転方向と搬送方向を示す図で、（ｂ）は、有効電子線照射領域の線量の分布を示す図である。
【図３】本発明に係る第３の実施の形態の医療機器の滅菌方法に関する図であり、（ａ）は被照射物と筒体の回転方向と搬送方向を示す図で、（ｂ）は、筒体内に大型の血液処理モジュールを挿入した場合の筒体割断図で、（ｃ）は、筒体内に小型の血液処理モジュールを挿入した場合の筒体割断図である。
【図４】本発明に係るシミュレーション例で使用した滅菌方法とその装置を示す図である。
【図５】本発明に係るシミュレーション例の位置を示す図である。
【図６】本発明に係るシミュレーション例の結果を示す図である。
【図７】本発明に係る実施例６の線量の測定位置を示す図で、（ａ）は側面の位置を示す図で、（ｂ）は周方向の位置を示す図である。
【図８】本発明に係る実施例７の線量の測定位置を示す図で、（ａ）は側面の位置を示す図で、（ｂ）は周方向の位置を示す図である。
【図９】本発明に係る実施例７の医療機器の滅菌方法に関する図である。
【図１０】本発明に係る実施例１０の医療機器の滅菌方法に関する図である。
【図１１】従来技術における片面照射方式の電子照射方法を示す図である。
【図１２】エネルギー１０(MeV) の電子線Ｅを用いて照射した場合の線量比のグラフを示す図である。
【図１３】従来技術における両面照射方式の電子照射方法を示す図である。
【図１４】従来技術における両面照射方式の電子照射方法を示す図で、（ａ）は、表面線量を示し、（ｂ）は、電子線の照射方向と表面位置の関係を示す。
【符号の説明】
１    滅菌装置
２    電子線照射装置（照射ホーン）      ２ａ  電子線照射窓
３    被照射物                          ３ｃ  電子線未到達の部分
４    コンベア                          ５    回転装置
６    筒体                              ６ｃ  筒体の中心軸
Ｃ    搬送方向（コンベアの進行方向）    Ｄ    照射方向（片面）
Ｄ１  両面照射方向Ｎｏ．１              Ｄ２  両面照射方向Ｎｏ．２
Ｒ    回転方向                          Ｒ’  逆転方向
α    刻み角度                          β    傾斜角度
【図１】
0004489857.tif 000005
【図２】
0004489857.tif 000006
【図３】
0004489857.tif 000007
【図４】
0004489857.tif 000008
【図５】
0004489857.tif 000009
【図６】
0004489857.tif 000010
【図７】
0004489857.tif 000011
【図８】
0004489857.tif 000012
【図９】
0004489857.tif 000013
【図１０】
0004489857.tif 000014
【図１１】
0004489857.tif 000015
【図１２】
0004489857.tif 000016
【図１３】
0004489857.tif 000017
【図１４】
0004489857.tif 000018